(57)【要約】【課題】  軽量性とねじ強度、大きな有効着座面積、さらに商品価値の高い外観性を兼ね備えたフランジ付き蝶ナットを提供すること。【解決手段】  金属板をプレス加工して形成された中空の蝶体１１が、中央の胴部１２とその両側に一体絞り成形された翼部１３，１３とからなり、胴部１２は、フランジ付き六角ナット１６の六角部１７が合致嵌合する凹部１４を有し、該凹部は座面側で開放されていると共に、頂壁にねじ挿通孔１５が設けられ、翼部１３，１３は、座面側で開放された逆Ｕ字形断面に形成されており、凹部１４にフランジ付き六角ナット１６の六角部１７を嵌合し、そのフランジ部１８の上面１９に当接した胴部１２の下端縁１２ａを抵抗溶接によりフランジ部１８に接合して、溶接部分２１を介して蝶体１１とフランジ付き六角ナット１６とが固着されている。【選択図】      図１
2006153167.tif 000002
【特許請求の範囲】
【請求項１】
金属板をプレス加工して形成された中空の蝶体が、中央の胴部とその両側に一体絞り成形された翼部とからなり、
前記胴部は、フランジ付き六角ナットの六角部が合致嵌合する凹部を有し、該凹部は座面側で開放されていると共に、頂壁にねじ挿通孔が設けられ、
前記翼部は、座面側で開放された逆Ｕ字形断面に形成されており、
前記凹部に前記フランジ付き六角ナットの六角部を嵌合し、そのフランジ部の上面に当接した前記胴部の下端縁を抵抗溶接により前記フランジ部に接合して、前記蝶体と前記フランジ付き六角ナットとが固着されていることを特徴とするフランジ付き蝶ナット。
【発明の詳細な説明】
【技術分野】
【０００１】
本発明は、手指で締めたり緩めたりする必要のある箇所に使用される蝶ナット、特にフランジ付き蝶ナットに関するものである。
【背景技術】
【０００２】
ＪＩＳ規格Ｂ１１８５には、一般に用いる金属製の蝶ナットについて規定しており、該ナットは、図８に示すように、冷間鍛造やダイカストなどによる中実一体成形したものと、図９に示すように、金属板のプレス加工により中空一体成形したものに大別される。中実タイプの蝶ナットは強度は大きいけれども重量が嵩み、一方、中空タイプのプレス加工製蝶ナットは軽量ではあるが、ねじ部及び座面の強度が中実タイプのものより弱い。
【０００３】
これら双方の欠点を補完するものとして、金属板のプレス加工により形成された中空タイプの蝶体に中実の六角ナットを嵌合固着して成る蝶ナットは知られている（特許文献１参照）。
【０００４】
上記特許文献１に開示されている公知の蝶ナットは、図１０に示すように、中空タイプの蝶体１が、中央の胴部２とその両側に一体絞り成形された翼部３，３とからなり、胴部２は中実の六角ナット６が合致嵌合する凹部４を有し、該凹部４は座面側で開放されていると共に、頂壁にねじ挿通孔５が設けられており、また、翼部３，３は座面側で開放された逆Ｕ字形断面に形成されている。さらに、胴部２の端面にかしめ突片７が設けられ、六角ナット６の座面縁辺に切欠き段部８が設けられている。そして、六角ナット６を胴部２の凹部４に嵌合した状態でかしめ突片７を六角ナット６の切欠き段部８に係合するように屈曲して、六角ナット６を蝶体１に固着した構造である。このようなかしめ結合による蝶ナットは、ナット６側にかしめ代として切欠き段部８を加工する必要があるため大幅なコスト高となり、このことが現在に至るまで商品化されなかった大きな要因であった。なお、特許文献１には、蝶体１と六角ナット６との固着をスポット溶接その他の方法を採用することが可能であると記載されているけれども、具体的な方法、手段については何も記載されていない。
【０００５】
一方、現在市販されている中実一体成形の蝶ナット（図８参照）においては、その成形上の特性から寸法上の座面外径に比べて有効な着座面積は決して大きくない。手締めのため大きな締付けトルクを出せない蝶ナットにおいて、ゆるみ方向に対する座面の摩擦抵抗、すなわち有効着座面積が大きいことは締付け力の安定性の点で非常に有意義である。しかし、中実一体成形の蝶ナットの有効着座面積を大きくしようとすると、全体が大型化して重量が増し、素材の増大と成形加工の困難性を伴うという問題がある。
【特許文献１】実公昭４６−２１２９６号公報
【発明の開示】
【発明が解決しようとする課題】
【０００６】
本発明は、上記した従来品の問題点に鑑みてなされたもので、軽量性とねじ強度、大きな有効着座面積、さらに商品価値の高い外観性を兼ね備えたフランジ付き蝶ナットを提供することを目的とする。
【課題を解決するための手段】
【０００７】
上記目的を達成するために、本発明によるフランジ付き蝶ナットは、金属板をプレス加工して形成された中空の蝶体が、中央の胴部とその両側に一体絞り成形された翼部とからなり、前記胴部は、フランジ付き六角ナットの六角部が合致嵌合する凹部を有し、該凹部は座面側で開放されていると共に、頂壁にねじ挿通孔が設けられ、前記翼部は、座面側で開放された逆Ｕ字形断面に形成されており、前記凹部に前記フランジ付き六角ナットの六角部を嵌合し、そのフランジ部の上面に当接した前記胴部の下端縁を抵抗溶接により前記フランジ部に接合して、前記蝶体と前記フランジ付き六角ナットとが固着されていることを特徴とする。
【発明の効果】
【０００８】
上述のように、本発明による蝶ナットは、フランジ付き六角ナットの六角部を前記凹部に嵌合した前記胴部の下端縁を前記フランジ部の上面に溶接により接合して、中空の蝶体とフランジ付き六角ナットが固着されているので、前記胴部と前記フランジ部の上面とが同化され、すっきりとした外観を呈すると共に、強度的にも信頼性の高い溶接が可能である。また本来、座面の摩擦抵抗を大きくすることを趣旨としているフランジナットの特性を蝶ナットの有効着座面積の拡大に寄与することができるので、安定した締付け力が得られる。しかも、軽量性と十分なねじ強度を併せ持っている。
【発明を実施するための最良の形態】
【０００９】
以下、本発明の実施の形態を図面に基づいて説明する。
【００１０】
図１は、本発明に係るフランジ付き蝶ナット１０を示しており、該蝶ナット１０は、図２に示す中空の蝶体１１に、図３に示す中実のフランジ付き六角ナット１６を嵌合して抵抗溶接により接合したものである。なお、フランジ付き六角ナット１６は市販されている規格製品を使用する。
【００１１】
蝶体１１は、金属板、例えば鋼板をプレス加工して形成され、中央の胴部１２とその両側に一体絞り成形された翼部１３，１３とからなり、胴部１２はフランジ付き六角ナット１６のナット本体である六角部１７が合致嵌合する輪郭形状が六角形の凹部１４を有し、該凹部１４は座面側で開放されていると共に、頂壁にねじ挿通孔１５が穿設されており、また、翼部１３，１３は座面側で開放された逆Ｕ字形断面に形成されている。該蝶体１１自体は前述した公知の蝶ナットの蝶体１と実質的に同じ構成である。
【００１２】
次に、蝶体１１にフランジ付き六角ナット１６を嵌合して溶接により固着する溶接工程について、図４〜図７を参照して説明する。
【００１３】
先ず、固定電極３１の上端面にフランジ付き六角ナット１６を位置決めして保持する。次に、該六角ナット１６の六角部１７に蝶体１１の胴部１２を被せるようにして凹部１４を六角部１７に合致嵌合させると、胴部１２の下端縁１２ａがフランジ部１８の上面１９に当接する。該フランジ部上面１９は円錐面状に傾斜しているので、図５ないし図７に示すように、下端縁１２ａは六角部１７を囲繞する六辺の下端６ヶ所において上面１９と点接触する。該点接触部２０は六角部１７の外周を取り囲むように等間隔をおいて形成される。この接触状態において、可動電極３２で蝶体１１の胴部１２の頂壁を加圧して通電すると、各点接触部２０が、プロジェクション溶接の溶接突起として機能し、電気抵抗熱により溶融して線状の溶接部分２１（図１参照）が６ヶ所に形成され、該溶接部分２１により胴部２０の下端縁１２ａがフランジ部上面１９に接合される。この接合によって蝶体１１とフランジ付き六角ナット１６が固着され、フランジ付き蝶ナット１０が完成する。
【００１４】
上記のようにして製造されたフランジ付き蝶ナット１０は、胴部１２の下端縁１２ａの溶接部分２１がフランジ部１８の上面１９と同化され、すっきりとした外観を呈するので、商品価値が高い。また、フランジ部１８の座面全体が蝶ナット１０の有効着座面積として寄与するので、安定した締付け力が得られる。そして、軽量性と十分なねじ強度を併せ持つ機能的にすぐれた蝶ナットを比較的安価に量産することが可能となった。
【図面の簡単な説明】
【００１５】
【図１】本発明に係るフランジ付き蝶ナットを示し、（ａ）は平面図、（ｂ）は正面図、（ｃ）は右側面図、（ｄ）は縦断正面図、（ｅ）は縦断側面図である。
【図２】同上蝶体を示し、（ａ）は平面図、（ｂ）は縦断正面図、（ｃ）は側面図である。
【図３】同上蝶体に組み込むフランジ付き六角ナットの正面図である。
【図４】同上蝶体とフランジ付き六角ナットの溶接工程を示す説明図で、（ａ）は要部縦断正面図、（ｂ）は要部縦断側面図である。
【図５】図４の溶接工程において、蝶体をフランジ付き六角ナットに嵌合した準備状態を示し、（ａ）は平面図、（ｂ）は正面図、（ｃ）は縦断側面図である。
【図６】図５（ｂ）の要部拡大図である。
【図７】図５（ｃ）の要部拡大図である。
【図８】ＪＩＳ規格による中実タイプの蝶ナットを示し、（ａ）は正面図、（ｂ）は側面図である。
【図９】ＪＩＳ規格による中空タイプの蝶ナットを示し、（ａ）は一部切欠き正面図、（ｂ）は側面図である。
【図１０】公知の蝶ナットの分解斜視図である。
【符号の説明】
【００１６】
１０  フランジ付き蝶ナット
１１  蝶体
１２  胴部
１３  翼部
１４  凹部
１５  ねじ挿通孔
１６  フランジ付き六角ナット
１７  六角部
１８  フランジ部
１９  フランジ部１８の上面
２０  点接触部
２１  溶接部分
【図１】
2006153167.tif 000003
【図２】
2006153167.tif 000004
【図３】
2006153167.tif 000005
【図４】
2006153167.tif 000006
【図５】
2006153167.tif 000007
【図６】
2006153167.tif 000008
【図７】
2006153167.tif 000009
【図８】
2006153167.tif 000010
【図９】
2006153167.tif 000011
【図１０】
2006153167.tif 000012